(57)【要約】【課題】  死後直ちに患者から抜去されるカテーテルの抜き痕に代表される傷口からは、血液その他の体液が滲出するが、これは縫合によっても、ガーゼ等で押さえても完全には遮断できない。またこの体液等の滲出が妨げとなって、傷口を粘着シートなどで被覆することも容易ではなく、好適な遺体整容の方策がなかった。【解決手段】  片面に粘着剤層を有するプラスチックフィルムと、該フィルムの該粘着剤層側を覆う剥離紙とにより構成されるものであり、該粘着剤面には高さ１ｍｍ以上の周回バンクが突条として配置されている。傷口を含む皮膚、周回バンク、そしてプラスチックフィルムとにより形成される密閉空間に、傷口から滲出する体液等を溜め込む。またプラスチックフィルムを肌色にすることで理想的な遺体整容が簡便確実に図られる。【選択図】  図１
2006311913.tif 000002
【特許請求の範囲】
【請求項１】
片面に粘着剤層を有するプラスチックフィルムと、該フィルムの該粘着剤層側を覆う剥離紙とにより構成されるものであり、該粘着剤面には高さ１ｍｍ以上の周回バンクが突条として配置されているものであることを特徴とする止血パッチ。
【請求項２】
該周回バンクは、全体としては円、楕円、長円或いは矩形状のものであり、粘着性を有する材料によりなるものである請求項１記載の止血パッチ。
【請求項３】
該プラスチックフィルム本体は、透明フィルム層と肌色フィルム層とを透明剥離シートを介して密着させた多層構造体であり、且つ該粘着剤層は該透明フィルム層側に配置されて成る請求項１又は２記載の止血パッチ。
【請求項４】
該周回バンクに囲まれている部分には、吸水性ポリマーが配置されているものである請求項１、２又は３記載の止血パッチ。
【発明の詳細な説明】
【技術分野】
【０００１】
本発明は止血パッチ、特に、遺体表面の傷口から滲出する血液・体液の衣類等への漏出を防止すると共に、当該傷口の整容を図るために貼着する止血パッチの構造に関するものである。
【背景技術】
【０００２】
外傷死のみならずほとんどの病死においても遺体は、幾つかの傷口を持つ。例を挙げれば、中心静脈栄養カテーテル抜去痕、ナート抜糸痕、クイントンカテーテル抜去痕、等々がその代表的なものである。
【０００３】
そしてそうした傷口からは、体液（血液を含む）が長時間滲出し続けることとなる。滲出した体液は、Ｂ型肝炎、Ｃ型肝炎、梅毒、エイズ（後天性免疫不全症候群の一種）、その他の感染症の原因になり、また遺体着衣（棺内では殆どの場合白色ゆえ目立つ）を汚すこととなるので、通常は整容を兼ねてそうした傷口を全て縫合している。
【特許文献１】特開２０００−０９５６０１
【発明の開示】
【発明が解決しようとする課題】
【０００４】
ところが死亡後の縫合であるので生体と異なり癒着によって塞がるということは殆どなく、縫合しても滲出量を少なくするという程度の効果しか期待できないことが多い。よって、仰向けに横たわる遺体の背中一面が滲出液で汚れるという事態になっていることも珍しくなかった。またガーゼなどで覆い漏れないようにしても、汚れ出すまでの遅延が図れる程度の効果しかない。
【０００５】
更に、縫合箇所は次第に変色し相当見苦しい状態となる。傷口箇所が着衣で見えないものであれば隠れることとなるが、顔面や頸部、手甲等にあると、遺族その他にとって辛いものを見ることになる。
【課題を解決するための手段】
【０００６】
そこで本発明者は上記点に鑑み鋭意研究の結果遂に本発明をなしたものでありその特徴とするところは、片面に粘着剤層を有するプラスチックフィルムと、該フィルムの該粘着剤層側を覆う剥離紙とにより構成されるものであり、該粘着剤面には高さ１ｍｍ以上の周回バンクが突条として配置されている点にある。
【０００７】
即ち本発明は、縫合後の傷口を覆い隠すと共に、滲出液貯留ゾーンが確保されていることによりある程度までの体液等を保持し漏出させないという機能を有する、特に遺体整容のために用いて有用な効果をもたらす止血パッチである。
【０００８】
ここで「片面に粘着剤層を有するプラスチックフィルム」は、本発明に係る止血パッチの主体部分であり、この粘着層の粘着力によって皮膚上に固定される。詳細については特に限定するものではないが、本発明の目的が滲出液の漏出防止と傷口の被覆にあることから、覆うべき傷口を視認しながら被せることができるように、透明体で構成されたフィルム層をまず貼着し、続いてこの透明フィルム層を肌色フィルム層で覆い隠す構造とすると使い勝手の良いものとなる。
【０００９】
「周回バンク」は、上記プラスチックフィルムの粘着剤層側に形成されるものであり、高さ１ｍｍ以上の突条体である。プラスチックフィルムを皮膚に貼着すると、この周回バンクも皮膚に接触することになるがその時、プラスチックフィルム、皮膚、周回バンクとによって取り囲まれる空間は、閉じられ水密が保たれたものとなる。皮膚面には傷口が存在しここより溢れ出す体液等は、この空間内に留まることになる。この機能を更に充実させるために、周回バンクの材質は変形しやすいものが好ましいし、皮膚との接着性が高くなるように粘着性を有するものであると好ましい。具体的には、トリモチ若しくはそれに類したものである。また、周回バンクが取り囲む空間の形状は、体液等をできるだけ多く溜めることができ、また満杯になって生じる内圧によって水密が破綻しにくいように、シンプルな形状が好ましい。即ち、円、楕円、長円、矩形などが該当し、その中でも最適な形状は真円である。
【発明の効果】
【００１０】
本発明に係る止血パッチは、以下述べる如き効果を有する極めて高度な発明である。
【００１１】
（１）  従来の救急絆創膏と異なり、周回バンクを有するものであるので、滲出液を溜め置く空間が確保されている。
（２）  遺体の整容として用いた場合、滲出液の漏れを防ぐだけでなく、プラスチックフィルムが該傷口を被覆するカバー部材として機能する。従ってフィルムを肌色にするなどにより極めて好適な整容が簡単にできる。
【発明を実施するための最良の形態】
【００１２】
以下図面に基づいて本発明を更に詳細に説明する。
【実施例】
【００１３】
図１は、本発明に係る止血パッチ１（以下本発明パッチ１という）の一例の裏面を示すものである。通常は被覆している剥離紙２を、図では途中まで剥いでいるので、基材であるプラスチックフィルム３の粘着剤層４及び周回バンク５の一部が明らかとなっている。全体としてはほぼ矩形状であり、大きさは本例では約３０ｍｍ×５０ｍｍであるが、これ以下或いはこれ以上であっても良い。またこの周回バンク５は、幅、高さ共およそ３ｍｍの角棒状体を楕円状に配置したもので、断裂部分なくプラスチックフィルム３の粘着剤層４に貼着されている。材料には、トリモチ（モチノキ、クロガネモチなどの樹皮から採れるガム状の粘着性物質）を用いたが、小さな圧力で皮膚形状に沿って変形するも液圧に対する保形性は有するような適度な柔らかさがあれば良く、これに限定はしない。
【００１４】
図２は、図１で示した本発明パッチ１の使用状態を概略的に示す断面図である。なお図面は模式図であり、特に厚さを誇張して描出しており実際の寸法とは大きく異なる。
皮膚上の傷口Ａに被せるように本発明パッチ１を貼着すると、皮膚、周回バンク５、プラスチックフィルム３とで閉じられた密閉空間Ｚが形成されることになる。この密閉空間Ｚは、傷口Ａから滲出する体液等を溜め込む機能を有しているので、通常（生体）の傷口被覆用に採用されるガーゼや脱脂綿による体液溜め込み量に比して大きくすることが容易であるし密閉性は格段に大きい。なお図示は省略するがこの密閉空間Ｚ内に吸水性ポリマーを配置し周回バンク５外への体液等の漏出を更に防止するようにしても良い。
【００１５】
こうして本発明パッチ１によって、傷口Ａから滲出する体液等を外部に漏出させないものであるが同時に、傷口自体を被覆するものであるので非透明でさえあれば覆い隠すということが簡単にできる。更に、皮膚色に近い色彩の外表面とすれば、目立たなくなってより好適である。
【００１６】
図３は、本発明の他の例を示すものである。本例の本発明パッチ１は、これまで１層であったプラスチックフィルム３が、透明フィルム３１と肌色フィルム３２の２層構造となっており、個々に粘着剤層４を介して剥離紙２が設けられている。なお透明フィルム３１と肌色フィルム３２の間に配置される剥離紙２は、一方の端側には達しておらず製品段階で既にフィルム同士が接着された状態となっている。また周回バンク５は、透明フィルム５側に設けられている。
【００１７】
この例の本発明パッチ１の使用方法を図４（ａ）（ｂ）（ｃ）にて示す。透明フィルム３１と肌色フィルム３２とを開いた状態でまず周回バンク５側の剥離紙２を剥がす［同図（ａ）］。すると、本発明パッチ１を傷口Ａにあてがう際、透明フィルム３１越しに傷口Ａの位置や大きさを目視することができる［同図（ｂ）］。周回バンク５の大きさが傷口Ａの大きさに近い場合などには非常に扱いやすいものとなる。そうして傷口Ａを覆うように本発明パッチ１の透明フィルム３１部分を貼着した後、透明フィルム３１と肌色フィルム３２の間の剥離紙２を剥がす［同図（ｃ）］。最後に肌色フィルム３２を被せる。
【００１８】
なおここまで本発明を、「遺体整容」に用途を限定して説明してきたが、傷口から滲出する血液その他の体液を、傷口にガーゼや脱脂綿を接触させ吸収するという方法を採用しにくい状況下（即ち傷そのものの保全が、治癒に関して止血よりも強く求められるような状況）での応急的な傷手当の手法を本発明パッチは提供するものでもあり得るので、本発明の用途については何ら限定しないものとする。
【図面の簡単な説明】
【００１９】
【図１】本発明に係る止血パッチの一例を示す概略斜視図である。
【図２】本発明に係る止血パッチの使用状態の一例を概略的に示す断面図である。
【図３】本発明に係る止血パッチの他の例を示す概略断面図である。
【図４】（ａ）（ｂ）（ｃ）は、図３で示した本発明に係る止血パッチの使用方法を経時的且つ概略的に示すいずれも断面図である。
【符号の説明】
【００２０】
１    本発明に係る止血パッチ
２    剥離紙
３    プラスチックフィルム
３１  透明フィルム
３２  肌色フィルム
４    粘着剤層
５    周回バンク
Ａ    傷口
Ｚ    密閉空間
【図１】
2006311913.tif 000003
【図２】
2006311913.tif 000004
【図３】
2006311913.tif 000005
【図４】
2006311913.tif 000006